(57)【要約】      （修正有） 【課題】飲料水の缶やペットボトルを自動販売機に1本づつ入れるのではなく、箱ごとや数本を自動販売機の飲料水缶やペットボトルの投入口へ連続して投入でき、時間の短縮と労力を軽減することができる缶、ペットボトルの自動販売機への投入具を提供する。  【解決手段】長方形の蓋のない箱の短い一辺を取り除いた部分に飲料水缶やペットボトルの最初の缶を止めたり、転げ落としたりする缶止板と缶止壁面板がついている。缶止壁面板の代わりに、缶止板を、底板を基点に前後に可動するようにつけたり、側板の溝に缶止板レバーで留め、缶止板レバーを動かして、缶止板が底板の方に倒れるようにしてもよい。【選択図】図１
0003155163.tif 000002
【実用新案登録請求の範囲】
【請求項１】
長方形のＵ字形の箱に飲料水缶やペットボトルの最初の缶を止めたり、転げ落としたりする缶止板と缶止壁面板が長方形のＵ字形の箱の短辺のところについている飲料水缶やペットボトルの自動販売機の飲料水缶やペットボトルの投入口に飲料水缶やペットボトルを投入する投入具。
【請求項２】
長方形のＵ字形の箱に飲料水缶やペットボトルの最初の缶を止めたり、転げ落としたりする缶止板が長方形のＵ字形の箱の短辺のところについており、缶止板は底板を基点に前後に可動するようについている飲料水缶やペットボトルの自動販売機の飲料水缶やペットボトルの投入口に飲料水缶やペットボトルを投入する投入具。
【請求項３】
上記請求項1に飲料水缶やペットボトルの最初の缶を止めたり、転げ落としたりする缶止板が側板の溝に缶止板レバーで留め、缶止板レバーを動かして、倒れるようにした飲料水缶やペットボトルの自動販売機の飲料水缶やペットボトルの投入口に飲料水缶やペットボトルを投入する投入具。
【請求項４】
長方形のＵ字形の箱に飲料水缶やペットボトルの最初の缶を止めたり、転げ落としたりする缶止板が長方形のＵ字形の箱の短辺のところの底板を基点に前後に可動するようについていて、底面が平になるように缶止板の前の自動販売機の缶投入口の乗せ掛ける部分を缶止板の厚さだけ下になるよう折り曲げた自動販売機の飲料水缶やペットボトルの投入口に飲料水缶やペットボトルを投入する投入具。
【考案の詳細な説明】
【技術分野】
【０００１】
本考案は、自動販売機の飲料水缶やペットボトルの投入口に飲料水缶やペットボトルを入れる投入具に関するものである。
【背景技術】
【０００２】
従来は、飲料水缶やペットボトルを手で一本づつ自動販売機の飲料水缶やペットボトルの投入口に入れるだけである。
【先行技術文献】
【特許文献】
【０００３】
【特許文献１】特開２００２−３１２８３９
【特許文献２】特開２００３−２５２３８８
【特許文献３】特開２００３−２２８７５３
【特許文献４】特開２００５−３３８９１０
【特許文献５】特開平４−１１５３９２
【特許文献６】特開平６−２７４７５０
【特許文献７】特開平１１−１１４７１
【考案の概要】
【考案が解決しようとする課題】
【０００４】
従来は、飲料水缶やペットボトルを手で1本、1本自動販売機の飲料水缶やペットボトルの投入口に入れている。
これには次のような欠点があった。
飲料水缶やペットボトルを手で1本づつ自動販売機の投入口に入れるので時間がかかる。
飲料水缶やペットボトルを手で1本づつ持ち上げて自動販売機の投入口に入れるので労力がかかる。
本考案は、以上の欠点を解決するためになされたものである。
【課題を解決するための手段】
【０００５】
上記の問題点を解決するために，本考案は、自動販売機の飲料水缶やペットボトル投入口に飲料水缶やペットボトルを手で1本づつ入れるのではなく、箱ごと、又は、数本の飲料水缶やペットボトルを自動販売機の飲料水缶やペットボトル投入口に投入するのである。飲料水缶やペットボトルをＵ字形の箱の投入具に入れる。Ｕ字形の箱の投入具の缶止壁面板と缶やペットボトルの通路に飲料水缶やペットボトルを止める缶止板が必要である。このＵ字形の箱の投入具の後方を持ち上げて傾斜をつけて飲料水缶の缶止板を前方に倒すと缶やペットボトルが転げ落ちるようにする。この投入具の前方の底板を自動販売機の缶投入口に乗せ掛ける長さが必要である。
【０００６】
この缶止板を底板に蝶番で固定し前後に動くようにする。缶止板を持ち上げて、缶止板レバーを側板の溝に留める。缶を自動販売機の缶投入口に転げ落とすときは、この長方形のＵ字形の箱の後方を持ち上げて缶止板を側板に留めていた缶止版レバーをはずすと飲料水缶の重さで缶止板が前方に倒れて飲料水缶は自動販売機の缶投入口に投入される。
【０００７】
この投入具の缶止板の上の缶止壁面板は飲料水缶の箱の飲料水缶を止める働きをする。箱を使用しない数本の飲料水缶を投入する場合には缶止壁面板は取り外すことができる。
【０００８】
この投入具の両側板に握り手をつけて持ち上げやすいようにする。また、缶止板がしっかり側板の溝に固定するように缶止板に缶止板レバーを引っ張るバネをつける。缶止板レバーが側板の溝から外れることがない。
【考案の効果】
【０００９】
飲料水の缶やペットボトルを手で1本づつ入れるのではなく，飲料水缶の箱ごと、または、数本の飲料水缶やペットボトルを飲料水の缶やペットボトル投入具図１に入れ、自動販売機の投入口に乗せ掛けて飲料水缶やペットボトルの投入具図１の後方を持ち上げると、飲料水缶やペットボトルが缶止板と缶止壁面板で止まる。この投入具の缶止板レバーを持ち上げて缶止板レバーを外すと飲料水缶やペットボトルが転げ落ちて自動販売機の缶投入口に投入されるので時間がかからない。また、短時間で投入が終わるので労力がかからない。
【図面の簡単な説明】
【００１０】
【図１】本考案の斜視図である。
【図２】本考案の側面図である。
【図３】本考案の前面の正面図である。
【考案を実施するための形態】
【００１１】
飲料水缶やペットボトルを入れる図１長方形のＵ字形の箱にする。長方形のＵ字形の箱の短辺の缶の転げ落ちる方の側面に缶止板８と缶止壁面板１５をつける。この缶止板８を底板６に缶止板蝶番３で固定し、底板を基点に前後に動くようにする。片方の側板に側板缶止板レバー留溝９をつける。この缶止板８に缶止板レバー１０をつけ，この缶止板レバー１０を側板缶止板レバー留溝９に引きかけて缶止板８を留める。この缶止板レバー１０を引っ張るバネ４をつけると缶止板レバー１０が側板缶止板レバー留溝９から外れない。
【００１２】
この図１長方形のＵ字形の箱の投入具の両側面に取っ手１１の握りをつけて、持ち上げやすいようにする。自動販売機の投入口に乗せ掛けやすいように乗せ掛け板１をつける。
【００１３】
この図１飲料水缶投入具の缶止板８と缶止板レバー１０や缶止板蝶番３の厚さがあるので、底板を缶止板８と缶止板レバー１０や缶止蝶番３の厚さだけ、一段下に折り曲げる。缶止板８が前面に倒れたときに底板が平面になるので缶がスムーズに転げ落ちるようになる。
【００１４】
缶止板の上の方に缶止レバー可動制限板１４をつける。缶止板８の缶止レバー１０が缶止レバー可動制限板１４に引っかかり一体となって動くので側板の缶止板レバー留溝９に引きかけやすくなる。
【実施例】
【００１５】
本考案は、飲料水缶の箱ごとや数本の飲料水缶やペットボトルを自動販売機に投入するのである。飲料水缶やペットボトルを入れる図１長方形のＵ字形の箱の投入具に入れる。長方形のＵ字形の箱の短辺の転げ落ちる方の側面に缶止板８と缶止壁面板１５をつけ、側板１２に側板缶止板レバー留溝９をつける。この缶止板８に缶止板レバー１０をつけ，この缶止板レバー１０を側板缶止板レバー留溝９に引きかけて缶止板８を留める。この缶止板レバー１０を引っ張るバネ４をつけると缶止板レバー１０が側板缶止板レバー留溝９から外れない。缶止板の上の方に缶止レバー可動制限板１４をつける。缶止板８の缶止レバー１０が缶止レバー可動制限板１４と一体となって動くので側板缶止板レバー留溝９に引きかけやすくなる。
【００１６】
この図１飲料水缶投入具の缶止板レバー１０を側板缶止板レバー留溝９に引きかけて缶止板８を留める。この図１長方形のＵ形の箱の投入具に飲料水缶の箱ごと、また、数本の飲料水缶やペットボトルを入れて両側面についている取っ手１１を握り自動販売機の飲料水缶やペットボトル投入口まで持ち上げて，自動販売機投入口乗せ掛け板１を自動販売機の缶投入口に乗せ掛けて投入具の後方を持ち上げる。そして，この缶止板レバー１０を上の方に持ち上げて缶止板のレバー１０を外すと缶止板１０が缶の重さで前の方に倒れて，飲料水缶やペットボトルが自動販売機の缶投入口に転げ落ちて，飲料水缶やペットボトルが投入される。
【産業上の利用可能性】
【００１７】
飲料水缶やペットボトルを自動販売機の飲料水缶やペットボトルの投入口に投入する場合に、容易に、短時間で投入できる。そのため自動販売機のドアを開けておく時間が短いので、冷気が逃げる時間が少なく省ネルギーであり、また、交通の障害や缶購入者が待つ時間が少なく自動販売機を使用できるので不便を避けることができる。
【符号の説明】
【００１８】
１  自動販売機投入口乗せ掛け板  
２  自動販売機投入口引き掛け板
３  缶止板蝶番  
４  缶止板レバー引きバネ    
５  右側板      
６  底板
７  後方側板    
８  缶止板
９  側板缶止板レバー留溝
１０  缶止板レバー      
１１  取っ手
１２  左側板  
１３  缶止板レバー留ネジ
１４  缶止板レバー可動制限板  
１５  缶止壁面板  
【図１】
0003155163.tif 000003
【図２】
0003155163.tif 000004
【図３】
0003155163.tif 000005
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
長方形の蓋のない箱の短い一辺を取り除いた部分に飲料水缶やペットボトルの最初の缶を止めたり、転げ落としたりする缶止板と缶止壁面板がついている飲料水缶やペットボトルの自動販売機の飲料水缶やペットボトルの投入口に飲料水缶やペットボトルを投入する投入具。
【請求項２】
長方形の蓋のない箱の短い一辺を取り除いた部分に飲料水缶やペットボトルの最初の缶を止めたり、転げ落としたりする缶止板がついており、缶止板は底板を基点に前後に可動するようについている飲料水缶やペットボトルの自動販売機の飲料水缶やペットボトルの投入口に飲料水缶やペットボトルを投入する投入具。
【請求項３】
長方形の蓋のない箱の短い一辺を取り除いた部分に飲料水缶やペットボトルの最初の缶を止めたり、転げ落としたりする缶止板が側板の溝に缶止板レバーで留め、缶止板レバーを動かして、缶止板が底板の方に倒れるようにした飲料水缶やペットボトルの自動販売機の飲料水缶やペットボトルの投入口に飲料水缶やペットボトルを投入する投入具。
【請求項４】
長方形の蓋のない箱の短い一辺を取り除いた部分に飲料水缶やペットボトルの最初の缶を止めたり、転げ落としたりする缶止板をつけ、缶止板は底板を基点に前後に可動するようにつけて、底面が平になるように缶止板の前の自動販売機の缶投入口の乗せ掛ける部分を缶止板の厚さだけ下になるよう折り曲げた自動販売機の飲料水缶やペットボトルの投入口に飲料水缶やペットボトルを投入する投入具。